【手続補正書】
【提出日】平成25年9月2日(2013.9.2)
【手続補正１】
【補正対象書類名】明細書
【補正対象項目名】０００９
【補正方法】変更
【補正の内容】
【０００９】
本発明の画像処理装置は、それぞれ無彩色の顔料インクである、第１のインク、前記第１のインクよりも記録濃度が高く且つ前記第１のインクよりも樹脂濃度が低い第２のインク、前記第１のインクおよび前記第２のインクよりも記録濃度が高く且つ前記第１のインクよりも樹脂濃度が低い第３のインクを吐出する記録ヘッドを用いて画像を記録するために、画像データに基づいて前記第１のインク、前記第２のインク、および前記第３のインクの記録媒体への吐出量を決定する決定手段を有する画像処理装置であって、前記決定手段は、前記第３のインクを吐出する前記画像データの階調領域の少なくとも一部の階調を記録する場合に、前記第１のインクを前記記録媒体に吐出するように前記吐出量を決定することを特徴とする。
【手続補正２】
【補正対象書類名】明細書
【補正対象項目名】００７２
【補正方法】変更
【補正の内容】
【００７２】
９０７はマスク処理部である。これは同一画像領域（単位領域）に記録すべき記録データを複数回の走査に分割して記録するマルチパス記録処理において、間引きパターン（以下マスクパターンと呼ぶ）を用いてマスク処理を行う。一般的なマスクパターンを説明する図を図１１に示す。図１１のマスクパターンは４回のスキャンで印刷を完成させる４パス用マスクパターンの例である。このマスクパターンは各パスのＯＮをする画素を黒ドットで、ＯＦＦをする画素を白ドットで表すもので、ドット配置がランダム状に配置されている。縦横の画素サイズは７６８×７６８ｐｉｘｅｌで、縦方向は記録ヘッドのノズル列方向、横方向は記録ヘッドのスキャンする主走査方向を表す。さらに縦方向の画素サイズ７６８は記録ヘッドのノズル数７６８ノズルと対応している。図の点線で示すように縦方向７６８ｐｉｘｅｌを１／４の１９２ｐｉｘｅｌに分割した際に、それぞれ１〜４パスのマスクパターンとなり、かつこれら１〜４パスのマスクパターンはそれぞれ補間関係にある。本例では１〜４パスのマスクパターンはほぼ同じデューティ、すなわち約２５％ｄｕｔｙとなっている。
【手続補正３】
【補正対象書類名】特許請求の範囲
【補正対象項目名】全文
【補正方法】変更
【補正の内容】
【特許請求の範囲】
【請求項１】
それぞれ無彩色の顔料インクである、第１のインク、前記第１のインクよりも記録濃度が高く且つ前記第１のインクよりも樹脂濃度が低い第２のインク、前記第１のインクおよび前記第２のインクよりも記録濃度が高く且つ前記第１のインクよりも樹脂濃度が低い第３のインクを吐出する記録ヘッドを用いて画像を記録するために、画像データに基づいて前記第１のインク、前記第２のインク、および前記第３のインクの記録媒体への吐出量を決定する決定手段を有する画像処理装置であって、
前記決定手段は、前記第３のインクを吐出する前記画像データの階調領域の少なくとも一部の階調を記録する場合に、前記第１のインクを前記記録媒体に吐出するように前記吐出量を決定することを特徴とする画像処理装置。
【請求項２】
前記決定手段は、前記第３のインクを前記記録媒体の単位領域へ吐出する前記画像データの階調領域の全階調を記録する場合に、前記第１のインクを前記記録媒体に吐出するように前記吐出量を決定することを特徴とする請求項１に記載の画像処理装置。
【請求項３】
前記第２のインクおよび前記第３のインクは樹脂濃度が等しいことを特徴とする請求項１または請求項２に記載の画像処理装置。
【請求項４】
グレーラインの画像の記録において、前記第３のインクを前記記録媒体の単位領域へ吐出する前記画像データの階調領域は、前記第１のインクの吐出量が最大の量となる階調より高い濃度の階調であることを特徴とする請求項１から請求項３のいずれか１項に記載の画像処理装置。
【請求項５】
前記決定手段は、前記第３のインクを前記単位領域へ吐出する前記画像データの階調領域の一部の階調を記録する場合に、前記第１のインクおよび前記第２のインクを前記記録媒体に吐出し、かつ、前記最大の量より少なく、前記第２のインクより多い量の前記第１のインクを吐出するように前記吐出量を決定することを特徴とする請求項４に記載の画像処理装置。
【請求項６】
前記第１のインクはライトグレーインク、前記第２のインクはグレーインク、前記第３のインクはブラックインクであることを特徴とする請求項１から請求項５のいずれか１項に記載の画像処理装置。
【請求項７】
走査手段による前記記録媒体と前記記録ヘッドとの相対的な走査をともなって、前記第１のインク、前記第２のインク、および前記第３のインクが吐出され、前記記録媒体の単位領域に複数回の前記走査によって記録が行われ、前記第３のインクが吐出される前記走査より後の回の前記走査で前記第１のインクが前記単位領域に吐出されるように前記記録ヘッドおよび前記走査手段を制御する制御手段を有することを特徴とする請求項１から請求項６のいずれか１項に記載の画像処理装置。
【請求項８】
前記記録ヘッドおよび前記走査手段を有することを特徴とする請求項７に記載の画像処理装置。
【請求項９】
それぞれ無彩色の顔料インクである、第１のインク、前記第１のインクよりも記録濃度が高く且つ前記第１のインクよりも樹脂濃度が低い第２のインク、前記第１のインクおよび前記第２のインクよりも記録濃度が高く且つ前記第１のインクよりも樹脂濃度が低い第３のインクを吐出する記録ヘッドを用いて画像を記録するために、画像データに基づいて前記第１のインク、前記第２のインク、および前記第３のインクの記録媒体への吐出量を決定する決定工程を含む画像処理方法であって、
前記決定工程では、前記第３のインクを吐出する前記画像データの階調領域の少なくとも一部の階調を記録する場合に、前記第１のインクを前記記録媒体に吐出するように前記吐出量を決定することを特徴とする画像処理方法。
【請求項１０】
前記決定工程では、前記第３のインクを前記記録媒体の単位領域へ吐出する前記画像データの階調領域の全階調を記録する場合に、前記第１のインクを前記記録媒体に吐出するように前記吐出量を決定することを特徴とする請求項９に記載の画像処理方法。
【請求項１１】
前記第２のインクおよび前記第３のインクは樹脂濃度が等しいことを特徴とする請求項９または請求項１０に記載の画像処理方法。
【請求項１２】
グレーラインの画像の記録において、前記第３のインクを前記記録媒体の単位領域へ吐出する前記画像データの階調領域は、前記第１のインクの吐出量が最大の量となる階調より高い濃度の階調であることを特徴とする請求項９から請求項１１のいずれか１項に記載の画像処理方法。
【請求項１３】
前記決定工程では、前記第３のインクを前記単位領域へ吐出する前記画像データの階調領域の一部の階調を記録する場合に、前記第１のインクおよび前記第２のインクを前記記録媒体に吐出し、かつ、前記最大の量より少なく、前記第２のインクより多い量の前記第１のインクを吐出するように前記吐出量を決定することを特徴とする請求項１２に記載の画像処理方法。
【請求項１４】
前記第１のインクはライトグレーインク、前記第２のインクはグレーインク、前記第３のインクはブラックインクであることを特徴とする請求項９から請求項１３のいずれか１項に記載の画像処理方法。
【請求項１５】
走査手段による前記記録媒体と前記記録ヘッドとの相対的な走査をともなって、前記第１のインク、前記第２のインク、および前記第３のインクが吐出され、前記記録媒体の単位領域に複数回の前記走査によって記録が行われ、前記第３のインクが吐出される前記走査より後の回の前記走査で前記第１のインクが前記単位領域に吐出されるように前記記録ヘッドおよび前記走査手段を制御する制御工程を含むことを特徴とする請求項９から請求項１４のいずれか１項に記載の画像処理方法。
【請求項１６】
それぞれ無彩色の顔料インクである、第１のインク、前記第１のインクよりも記録濃度が高く且つ前記第１のインクよりも樹脂濃度が低い第２のインク、前記第１のインクおよび前記第２のインクよりも記録濃度が高く且つ前記第１のインクよりも樹脂濃度が低い第３のインクの記録媒体への吐出量を、画像データに基づいて決定する決定工程と、
前記第１のインク、前記第２のインク、および前記第３のインクを吐出する記録ヘッドを用いて、前記記録媒体に画像を記録する記録工程と、を含むインクジェット記録方法であって、
前記決定工程では、前記第３のインクを吐出する前記画像データの階調領域の少なくとも一部の階調を記録する場合に、前記第１のインクを前記記録媒体に吐出するように前記吐出量を決定し、
前記記録工程では、前記決定工程にて決定された吐出量に応じて、前記記録ヘッドからインクを吐出させて前記記録媒体に画像を記録することを特徴とするインクジェット記録方法。